(57)【要約】      （修正有）【課題】回路基板を適切に保護すると共にメンテナンス性に優れた基板装置を提供する。【解決手段】基板装置１は、主面１０ａ、１１ａに部品が実装された回路基板１０、１１と、回路基板１０、１１において主面１０ａ、１１ａとは反対側に設けられ、回路基板１０、１１を支持している支持軸２５、２６と、回路基板１０、１１を保護するように主面１０ａ、１１ａ側に設けられ、可撓性を有するシート材から成る保護カバー３０と、を備える。保護カバー３０は、主面１０ａ、１１ａに離隔して対向している矩形状の基部３２と、基部３２の一端側から折り曲げられており、支持軸２５に固定されている固定部３５を含む第１折り曲げ部３４と、基部３２の他端側から折り曲げられており、支持軸２６に着脱可能に係止されている係止部３７を含む第２折り曲げ部３６とを有する。【選択図】図２
2019192807.tif 000002
【特許請求の範囲】
【請求項１】
主面に部品が実装された回路基板と、
前記回路基板において前記主面とは反対側に設けられ、前記回路基板を支持している支持部材と、
前記回路基板を保護するように前記主面側に設けられ、可撓性を有するシート材から成る保護カバーと、
を備え、
前記保護カバーは、
前記主面に離隔して対向している矩形状の対向部と、
前記対向部の一端側から折り曲げられており、前記支持部材に固定されている固定部を含む第１折り曲げ部と、
前記対向部の他端側から折り曲げられており、前記支持部材に着脱可能に係止されている係止部を含む第２折り曲げ部と、を有する、
基板装置。
【請求項２】
前記第１折り曲げ部の曲げ位置に、前記第１折り曲げ部の折り曲げ状態を保持するためのミシン目が形成されている、
請求項１に記載の基板装置。
【請求項３】
前記固定部は、前記第１折り曲げ部の先端部と前記対向部とに繋がっている平面部である、
請求項１又は２に記載の基板装置。
【請求項４】
前記第２折り曲げ部の曲げ位置に、前記第２折り曲げ部の折り曲げ状態を保持するためのミシン目が形成されている、
請求項１から３のいずれか１項に記載の基板装置。
【請求項５】
前記支持部材は、板金部材と前記回路基板の間に配置された支持軸であり、
前記係止部は、前記支持軸に着脱可能に係止されている係止穴を有する、
請求項１から４のいずれか１項に記載の基板装置。
【請求項６】
前記支持部材は、前記回路基板の裏面に対向している板金部材から延出した延出部であり、
前記係止部は、前記延出部に係止している係止凸部を有する、
請求項１から５のいずれか１項に記載の基板装置。
【請求項７】
前記固定部には、締結部材の雄ネジ部が挿通している貫通孔が形成されており、
前記固定部及び前記回路基板は、前記支持部材に形成された雌ネジ部と前記締結部材の前記雄ネジ部によって共締めされている、
請求項１から６のいずれか１項に記載の基板装置。
【請求項８】
前記対向部の表面には、前記回路基板に関する情報を表示する表示物が設けられている、
請求項１から７のいずれか１項に記載の基板装置。
【請求項９】
前記係止部の係止状態が解除されて前記固定部を支点として前記対向部が折り返された際に、前記係止部が係止される被係止部を更に備える、
請求項１から８のいずれか１項に記載の基板装置。
【請求項１０】
前記第１折り曲げ部は、前記回路基板の側面に対向しており、
前記第１折り曲げ部の先端側は、前記回路基板の裏面に空隙を介して対向している板金部材に接触している、
請求項１から８のいずれか１項に記載の基板装置。
【発明の詳細な説明】
【技術分野】
【０００１】
本発明は、保護カバーを有する基板装置に関する。
【背景技術】
【０００２】
建物内等に設けられた火災感知器から火災検出信号を受信する火災受信機には、回路基板を含む基板装置が設けられている。この基板装置の回路基板上には、様々な部品が実装されている。このため、回路基板を保護する観点等から、保護カバーが取り付けられている（特許文献１参照）。
【先行技術文献】
【特許文献】
【０００３】
【特許文献１】特開平８−６４９７１号公報
【発明の概要】
【発明が解決しようとする課題】
【０００４】
ところで、基板装置は、ユーザ等が通常使用しない装置であるため、ネジ等で強固に固定されている。一方で、基板装置のメンテナンス（例えば、回路基板の点検・保守）が発生するケースがあるが、保護カバーがネジ等で強固に固定されている場合には、ネジを緩めて外す必要があるため、保護カバーの取り外しに手間がかかってしまう。
【０００５】
そこで、本発明はこれらの点に鑑みてなされたものであり、回路基板を適切に保護すると共にメンテナンス性に優れた基板装置を提供することを目的とする。
【課題を解決するための手段】
【０００６】
本発明の一の態様においては、主面に部品が実装された回路基板と、前記回路基板において前記主面とは反対側に設けられ、前記回路基板を支持している支持部材と、前記回路基板を保護するように前記主面側に設けられ、可撓性を有するシート材から成る保護カバーと、を備え、前記保護カバーは、前記主面に離隔して対向している矩形状の対向部と、前記対向部の一端側から折り曲げられており、前記支持部材に固定されている固定部を含む第１折り曲げ部と、前記対向部の他端側から折り曲げられており、前記支持部材に着脱可能に係止されている係止部を含む第２折り曲げ部と、を有する、基板装置を提供する。
【０００７】
また、前記第１折り曲げ部の曲げ位置に、前記第１折り曲げ部の折り曲げ状態を保持するためのミシン目が形成されていることとしてもよい。
【０００８】
また、前記固定部は、前記第１折り曲げ部の先端部と前記対向部とに繋がっている平面部であることとしてもよい。
【０００９】
また、前記第２折り曲げ部の曲げ位置に、前記第２折り曲げ部の折り曲げ状態を保持するためのミシン目が形成されていることとしてもよい。
【００１０】
また、前記支持部材は、板金部材と前記回路基板の間に配置された支持軸であり、前記係止部は、前記支持軸に着脱可能に係止されている係止穴を有することとしてもよい。
【００１１】
また、前記支持部材は、前記回路基板の裏面に対向している板金部材から延出した延出部であり、前記係止部は、前記延出部に係止している係止凸部を有することとしてもよい。
【００１２】
また、前記固定部には、締結部材の雄ネジ部が挿通している貫通孔が形成されており、前記固定部及び前記回路基板は、前記支持部材に形成された雌ネジ部と前記締結部材の前記雄ネジ部によって共締めされていることとしてもよい。
【００１３】
また、前記対向部の表面には、前記回路基板に関する情報を表示する表示物が設けられていることとしてもよい。
【００１４】
また、前記基板装置は、前記係止部の係止状態が解除されて前記固定部を支点として前記対向部が折り返された際に、前記係止部が係止される被係止部を更に備えることとしてもよい。
【００１５】
また、前記第１折り曲げ部は、前記回路基板の側面に対向しており、前記第１折り曲げ部の先端側は、前記回路基板の裏面に空隙を介して対向している板金部材に接触していることとしてもよい。
【発明の効果】
【００１６】
本発明によれば、回路基板を適切に保護すると共にメンテナンス性に優れた基板装置を提供できるという効果を奏する。
【図面の簡単な説明】
【００１７】
【図１】本発明の第１の実施形態に係る基板装置１の構成を説明するための模式図である。
【図２】基板装置１を側面側から見た模式図である。
【図３】保護カバー３０の構成を示す斜視図である。
【図４】保護カバー３０の展開図である。
【図５】係止部３７の係止を説明するための模式図である。
【図６】係止部３７の係止が解除された保護カバー３０が撓んだ状態を説明するための模式図である。
【図７】第２の実施形態に係る基板装置１の構成を説明するための模式図である。
【図８】第２の実施形態に係る保護カバー１３０の構成を示す斜視図である。
【図９】保護カバー１３０の展開図である。
【図１０】係止部１３７の係止を説明するための模式図である。
【図１１】係止部１３７の係止が解除された保護カバー３０が撓んでいる状態を説明するための模式図である。
【発明を実施するための形態】
【００１８】
＜第１の実施形態＞
（基板装置の構成）
本発明の第１の実施形態に係る基板装置の構成について、図１及び図２を参照しながら説明する。
【００１９】
図１は、第１の実施形態に係る基板装置１の構成を説明するための模式図である。図２は、基板装置１を側面側から見た模式図である。
【００２０】
基板装置１は、例えば火災感知器から火災検出信号を受信する火災受信機に取付けられている。基板装置１は、通常時はユーザ等が触れることは無く、例えば定期的にメンテナンスが行われる。なお、基板装置１は、火災受信機以外の機器に取り付けられてもよい。基板装置１は、図１及び図２に示すように、回路基板１０、１１と、板金部材２０と、支持軸２５、２６と、保護カバー３０とを有する。
【００２１】
回路基板１０、１１は、例えばプリント基板である。回路基板１０、１１の主面１０ａ、１１ａには、それぞれ電子部品が実装されている（図２参照）。回路基板１０、１１は、図２に示すように、互いに離れて配置されている。ここでは、２つの回路基板１０、１１が示されているが、これに限定されず、１つの回路基板が設けられていてもよい。
【００２２】
板金部材２０は、図２に示すように、回路基板１０、１１の背面（主面１０ａ、１１ａとは反対側の面）側に対向するように設けられている。板金部材２０には、回路基板１０、１１が取り付けられる。板金部材２０は、例えば火災受信機のパネルの一部を構成している。
【００２３】
支持軸２５と、図２に示すように、回路基板１０と板金部材２０の間に配置されており、回路基板１０を支持している支柱である。支持軸２５は、複数設けられており、回路基板１０の四隅を支持している。
【００２４】
支持軸２６は、図２に示すように、回路基板１１と板金部材２０の間に配置されており、回路基板１１を支持している。支持軸２６は、複数設けられており、回路基板１１の四隅を支持している。
【００２５】
保護カバー３０は、図２に示すように、２つの回路基板１０、１１を保護するように主面１０ａ、１１ａ側に設けられている。これにより、回路基板１０、１１（具体的には、主面１０ａ、１１ａ）に埃が付着することや、作業者が誤って主面１０ａ、１１ａ上の部品に触れることを防止できる。また、保護カバー３０は、可撓性を有するシート材から成る。これにより、作業者は保護カバー３０を撓ませることが可能である。シート材は、例えば軟質材であるポリエステルである。ただし、これに限定されず、シート材は他の材料であってもよい。また、保護カバー３０は、透明な材質から成っていてもよい。
【００２６】
保護カバー３０は、図２に示すように、締結部材７０によって固定されている固定部３５と、支持軸２６に着脱可能に係止されている係止部３７とを有する。これにより、詳細は後述するが、係止部３７の係止を解除した後に固定部３５を支点として保護カバー３０を撓ませることで、回路基板１０、１１が露出するので、作業者が回路基板１０、１１のメンテナンス（保守・点検）を行うことができる。この結果、回路基板１０、１１を適切に保護すると共に、メンテナンス性を向上させることができる。
【００２７】
（保護カバーの詳細構成）
保護カバー３０の詳細構成について、図３〜図６を参照しながら説明する。
【００２８】
図３は、保護カバー３０の構成を示す斜視図である。図４は、保護カバー３０の展開図である。図５は、係止部３７の係止を説明するための模式図である。図６は、係止部３７の係止が解除された保護カバー３０が撓んだ状態を説明するための模式図である。なお、図３には、裏側から見た保護カバー３０が示されている。
【００２９】
保護カバー３０は、図４に示す一枚のシート材（保護カバー３０の外形に沿うようにカットされたシート材）を折り曲げることで、図３に示す立体形状を成している。図４に示すシート材には、複数のミシン目３９ａ〜３９ｆが形成されており、ミシン目３９ａ〜３９ｆの部分で折り曲げられる。ミシン目３９ａ〜３９ｆの各々は、例えば小さい穴によって形成されている。このようにミシン目３９ａ〜３９ｆの部分で折り曲げることで、シート材が可撓性を有していても図３に示す立体形状が保持されやすい。
【００３０】
保護カバー３０は、図３に示すように、基部３２と、第１折り曲げ部３４と、固定部３５と、第２折り曲げ部３６と、係止部３７とを有する。
【００３１】
基部３２は、回路基板１０、１１の主面１０ａ、１１ａに離隔して対向している対向部である（図２参照）。基部３２は、主面１０ａ、１１ａを覆うように矩形平板状となっている。基部３２は、主面１０ａ、１１ａ上の部品に接しない高さに位置している。
【００３２】
第１折り曲げ部３４は、基部３２の短手方向の一端側から折り曲げられており、保護カバー３０において固定される部分である。第１折り曲げ部３４は、図２に示すように回路基板１０の側面に対向している。第１折り曲げ部３４の基部３２からの曲げ位置には、ミシン目３９ａ、３９ｂ（図４）が形成されている。これにより、第１折り曲げ部３４の折り曲げ状態が保持されやすい。
【００３３】
回路基板１０の側面に対向している第１折り曲げ部３４の先端側は、図２に示すように、回路基板１０の裏面に空隙を介して対向している板金部材２０に接触している。これにより、第１折り曲げ部３４と板金部材２０の間に隙間が存在しないので、回路基板１０と板金部材２０の間の空隙に埃やゴミ等の異物が侵入することを防止する効果が高められる。
【００３４】
固定部３５は、第１折り曲げ部３４の両側にそれぞれ設けられている。固定部３５は、締結部材７０によって、回路基板１０を支持する支持軸２５に固定されている。具体的には、固定部３５は、締結部材７０（図１）の雄ネジ部が挿通している貫通孔３５ａを有しており、締結部材７０の雄ネジ部は、支持軸２５に形成された雌ネジ部と係合している。これにより、固定部３５は、回路基板１０と共に支持軸２５に共締めされている。固定部３５は、回路基板１０の主面１０ａに接触している平面部であり、図４に示すミシン目３９ｃ、３９ｄの部分で折り曲げられて形成されている。固定部３５は、第１折り曲げ部３４の先端側に、連結部３５ｂを介して基部３２に繋がっている。これにより、シートから成る固定部３５の剛性を高められる。
【００３５】
第２折り曲げ部３６は、基部３２の短手方向の他端側から折り曲げられており、保護カバー３０において着脱可能に係止される部分である。第２折り曲げ部３６は、保護カバー３０の長手方向の両端側にそれぞれ設けられており、図２に示すように回路基板１１の側面に対向している。第２折り曲げ部３６の基部３２からの曲げ位置には、ミシン目３９ｅ（図４）が形成されている。これにより、第２折り曲げ部３６の折り曲げ状態が保持されやすい。本実施形態では、第１折り曲げ部３４及び第２折り曲げ部３６を設けることで、支柱を別途設けなくても、保護カバー３０が回路基板１０、１１を保護できる。
【００３６】
係止部３７は、２つの第２折り曲げ部３６にそれぞれ設けられている。係止部３７は、回路基板１１を支持する支持軸２６に着脱可能に係止されている。係止部３７は、図５に示すように、係止穴３７ａと、切り欠き３７ｂとを有する。なお、図５（ａ）に係止前の状態が、図５（ｂ）に係止時の状態が示されている。
【００３７】
係止穴３７ａは、支持軸２６と係合することで係止される。係止穴３７ａは、支持軸２６の直径よりも若干大きく形成されている。
切り欠き３７ｂは、第２折り曲げ部３６の先端側を切り欠いた部分であり、係止穴３７ａと繋がっている。係止部３７と支持軸２６が係合する際には、支持軸２６が切り欠き３７ｂを通過した後で係止穴３７ａに係合する。
【００３８】
本実施形態では、第２折り曲げ部３６の係止部３７の支持軸２６に対する係止が解除された際に、図６に示すように、第１折り曲げ部３４の固定部３５が支持軸２５に固定された状態となっている。前述したように、保護カバー３０は可撓性を有するシート材から成る。このため、作業者は、固定部３５を支点として、保護カバー３０の基部３２が撓むように第２折り曲げ部３６を持ち上げることができる（図６参照）。これにより、保護カバー３０を取り外すことなく、回路基板１０、１１が露出することになる。また、作業者は、一方の手で第２折り曲げ部３６や係止部３７を持ち上げた状態で、他方の手で回路基板１０、１１のメンテナンスを行える。
【００３９】
上記では、作業者が一方の手で第２折り曲げ部３６側を持ち上げた状態でメンテナンスを行うこととしたが、これに限定されない。例えば、作業者が第２折り曲げ部３６側を持ち上げなくても済むように、保護カバー３０の基部３２が折り返された状態を保持する構成となっていてもよい。
【００４０】
例えば、基部３２が折り返された状態で、第２折り曲げ部３６の２つの係止部３７が、回路基板１０を支持する支持軸２５にそれぞれ係止されてもよい。この場合、支持軸２５が、保護カバー３０が折り返られた際に係止部３７が係止される被係止部に該当する。これにより、作業者が第２折り曲げ部３６側を手で保持する必要がなくなり、両手で回路基板１０、１１をメンテナンスできるので作業性が向上する。
なお、係止部３７を支持軸２５に係止させるために、第１折り曲げ部３４の先端側と板金部材２０の間に隙間があってもよい。この場合には、係止部３７を当該隙間から入り込ませて、支持軸２５に係止させる。
【００４１】
また、上記では、保護カバー３０の一端側が締結部材７０によって固定されていることとしたが、これに限定されない。例えば、保護カバー３０の一端側が締結以外の手段によって固定されてもよい。
【００４２】
また、上記では、保護カバー３０の短手方向の一端側に固定部３５が設けられていることとしたが、これに限定されない。例えば、固定部３５は、保護カバー３０の長手方向の一端側に設けられていてもよい。
【００４３】
また、上記では、２つの回路基板１０、１１が１つの保護カバー３０によって保護されていることとしたが、これに限定されない。例えば、回路基板１０、１１の各々に対して、保護カバー３０が別々に設けられてもよい。
【００４４】
（第１の実施形態における効果）
上述した第１の実施形態においては、回路基板１０、１１を保護する保護カバー３０は、可撓性を有するシート材から成る。そして、保護カバー３０の基部３２の一端側の第１折り曲げ部３４の固定部３５が、支持軸２５に固定されている。また、基部３２の他端側の第２折り曲げ部３６の係止部３７が、支持軸２６に着脱可能に係止されている。
このような構成の場合には、係止部３７の支持軸２６に対する係止状態を解除した後に、支持軸２５に固定された固定部３５を支点として基部３２及び第２折り曲げ部３６を撓ませることで、回路基板１０、１１が露出することになる。これにより、保護カバー３０を取り外すことなく、回路基板１０、１１のメンテナンスを行うことができるので、保護カバー３０に保護された回路基板１０、１１のメンテナンス時の作業性を向上できる。
【００４５】
＜第２の実施形態＞
本発明の第２の実施形態に係る基板装置１の構成について、図７〜図１１を参照しながら説明する。
【００４６】
図７は、第２の実施形態に係る基板装置１の構成を説明するための模式図である。第２の実施形態では、図７に示すように、回路基板１０、１１が、回路基板１０、１１の裏面に対向している板金部材２０から曲げられて延出した延出部２２、２３に支持されている。第２の実施形態では、延出部２２、２３が、回路基板１０、１１を支持する支持部材に該当する。延出部２２、２３は、ここではＬ字状に形成されている。
【００４７】
回路基板１０、１１を保護している保護カバー１３０の一端側は、締結部材７０によって延出部２２に固定されている。一方で、保護カバー３０の他端側は、延出部２３に着脱可能に係止されている。
【００４８】
図８は、第２の実施形態に係る保護カバー１３０の構成を示す斜視図である。図９は、保護カバー１３０の展開図である。図１０は、係止部１３７の係止を説明するための模式図である。図１１は、係止部１３７の係止が解除された保護カバー３０が撓んでいる状態を説明するための模式図である。
【００４９】
保護カバー１３０は、図９に示す一枚のシート材を折り曲げることで、図８に示す立体形状を成している。図１０に示すシート材には、複数のミシン目１３９ａ、１３９ｂが形成されており、ミシン目１３９ａ、１３９ｂの部分で折り曲げられる。保護カバー１３０は、図８に示すように、基部１３２と、表示物１３３と、第１折り曲げ部１３４と、固定部１３５と、第２折り曲げ部１３６と、係止部１３７とを有する。
【００５０】
基部１３２は、回路基板１０、１１の主面１０ａ、１１ａを覆うように矩形平板状となっている（図７参照）。基部１３２は、主面１０ａ、１１ａ上の部品に接しない高さに位置している。
【００５１】
表示物１３３は、基部１３２の表面に設けられている。表示物１３３は、回路基板１０、１１に関する情報を表示している。例えば、表示物１３３は、主面１０ａ、１１ａ上の該当する部品上に、各部品の機能や接続等に関する情報を表示している。作業者は、例えば表示物１３３の情報を見ながら作業を行うことで、メンテナンスを行いやすくなる。
【００５２】
第１折り曲げ部１３４は、基部１３２の一端側から折り曲げられており、回路基板１０の側面に対向している（図７参照）。第１折り曲げ部１３４の曲げ位置には、ミシン目１３９ａ（図９）が形成されている。これにより、第１折り曲げ部１３４の折り曲げ状態が保持されやすくなっている。
【００５３】
固定部１３５は、第１折り曲げ部１３４の両側にそれぞれ設けられている。固定部１３５は、締結部材７０によって回路基板１０を支持する延出部２２に固定されている（図７参照）。固定部１３５は、締結部材７０の雄ネジ部が挿通している穴１３５ａを有する。なお、締結部材７０の雄ネジ部は、延出部２２に設けられた雌ネジ部と係合している。
【００５４】
第２折り曲げ部１３６は、基部１３２の他端側から折り曲げられており、回路基板１１の側面に対向している（図７参照）。第２折り曲げ部１３６は、保護カバー１３０の長手方向の両端側に設けられている。第２折り曲げ部１３６の曲げ位置には、ミシン目１３９ｂ（図９）が形成されている。これにより、第２折り曲げ部１３６の折り曲げ状態が保持されやすくなっている。
【００５５】
係止部１３７は、２つの第２折り曲げ部１３６の先端側に設けられている。係止部１３７は、回路基板１１を支持する延出部２３に着脱可能に係止されている。係止部１３７は、第２折り曲げ部１３６と共にＬ字状に形成されている。係止部１３７は、図１０に示すように、延出部２３の裏側に差し込まれることで係止されている。
【００５６】
第２の実施形態でも、係止部１３７の係止が解除された後に、作業者は、延出部２２に固定された固定部１３５を支点として、保護カバー１３０の基部１３２が撓むように第２折り曲げ部１３６を持ち上げることができる（図１１参照）。これにより、保護カバー１３０を取り外すことなく、回路基板１０、１１が露出することになる。
作業者は、回路基板１０、１１が露出した状態で、回路基板１０、１１のメンテナンスを行う。この際、作業者は、保護カバー１３０に設けられた表示物１３３（図９）を見ながら作業を行うことで、メンテナンスを行いやすくなる。また、保護カバー１３０が取り外されていない状態では、保護カバー１３０が取り外されている状態に比べて表示物１３３を作業中に確認しやすいので、より作業性が向上する。
【００５７】
（第２の実施形態における効果）
第２の実施形態では、保護カバー１３０の第１折り曲げ部１３４の固定部１３５が、板金部材２０の延出部２２に固定されている。また、基部１３２の第２折り曲げ部１３６の係止部１３７が、延出部２３に着脱可能に係止されている。
このような構成により、係止部１３７の延出部２３に対する係止状態を解除した後に、延出部２２に固定された固定部１３５を支点として基部１３２及び第２折り曲げ部１３６を撓ませることで、回路基板１０、１１が露出する。この結果、保護カバー１３０を取り外すことなく、回路基板１０、１１のメンテナンスを行うことができる。
【００５８】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００５９】
１    基板装置
１０、１１    回路基板
１０ａ、１１ａ    主面
２０    板金部材
２２、２３    延出部
２５、２６    支持軸
３０    保護カバー
３２    基部
３４    第１折り曲げ部
３５    固定部
３６    第２折り曲げ部
３７    係止部
３９ａ〜３９ｆ    ミシン目
１３０    保護カバー
１３２    基部
１３３    表示物
１３４    第１折り曲げ部
１３５    固定部
１３６    第２折り曲げ部
１３７    係止部
【図１】
2019192807.tif 000003
【図２】
2019192807.tif 000004
【図３】
2019192807.tif 000005
【図４】
2019192807.tif 000006
【図５】
2019192807.tif 000007
【図６】
2019192807.tif 000008
【図７】
2019192807.tif 000009
【図８】
2019192807.tif 000010
【図９】
2019192807.tif 000011
【図１０】
2019192807.tif 000012
【図１１】
2019192807.tif 000013